(57)【要約】【課題】操作者が操作スイッチに対応する動作部及びその動作を容易に認識することができる動作制御装置及びこれを用いる動作制御方法を提供する。【解決手段】操作スイッチ３と、所定の動作を行う動作部４と、操作スイッチ３からの信号により動作部４を作動させる制御部５とを備える動作制御装置であり、操作スイッチ３は、手指の接触又は所定値以下の操作力によって作動する第１スイッチ７と、所定値を超える操作力によって作動する第２スイッチ８とを備え、制御部５は、第１スイッチ７からの信号により、動作部４ａ、４ｂ等に対し所定の動作を操作者に感知させるための予備動作を行わせ、第２スイッチ８からの信号により、動作部４ａ、４ｂ等に所定の動作を行わせる。第１スイッチ７としてタッチスイッチ、第２スイッチ８としてプッシュスイッチやスライドスイッチ等を用いることができる。【選択図】図４
2011100617.tif 000002
【特許請求の範囲】
【請求項１】
操作スイッチと、所定の動作を行う動作部と、前記操作スイッチからの信号により前記動作部を作動させる制御部とを備える動作制御装置であって、
前記操作スイッチは、手指の接触又は所定値以下の操作力によって作動する第１スイッチと、前記所定値を超える操作力によって作動する第２スイッチとを備え、
前記制御部は、前記第１スイッチからの信号により、前記動作部に対し前記所定の動作を操作者に感知させるための予備動作を行わせ、前記第２スイッチからの信号により、前記動作部に前記所定の動作を行わせることを特徴とする動作制御装置。
【請求項２】
前記第１スイッチはタッチスイッチであり、前記第２スイッチは前記第１スイッチの表面又はその直下に設けられたプッシュスイッチ又はスライドスイッチである請求項１記載の動作制御装置。
【請求項３】
前記動作部は所定の輝度で発光する光源を有する照明装置であり、
前記予備動作は、前記光源を前記所定の輝度より低い輝度で発光させ、又は前記光源を点滅させる請求項１又は２に記載の動作制御装置。
【請求項４】
前記動作部は、所定範囲で所定速度により移動する可動体を有する可動装置であり、
前記予備動作は、前記可動体を前記範囲よりも小さい範囲、及び前記速度よりも遅い速度のうちの少なくとも一つにより移動させる請求項１又は２に記載の動作制御装置。
【請求項５】
前記制御部は、前記第１スイッチが作動されてから所定時間内に前記第２スイッチが作動されたときには、前記予備動作を行わせることなく前記動作部の所定の動作を行わせる請求項１乃至４のいずれかに記載の動作制御装置。
【請求項６】
前記照明装置は、車両に設けられた室内灯である請求項３記載の動作制御装置。
【請求項７】
前記可動装置は、車両に設けられた電動シート、電動ルーフ及び電動ウィンドウのうちのいずれかである請求項４記載の動作制御装置。
【請求項８】
請求項１乃至７のいずれかに記載の動作制御装置を用いる動作制御方法であって、
前記第１スイッチが作動されたとき前記動作部に前記予備動作をさせる第１工程と、
前記第２スイッチが作動されたとき前記動作部に前記所定の動作をさせる第２工程と、
を備えることを特徴とする動作制御方法。
【請求項９】
さらに前記第１スイッチが作動されてから所定時間内に前記第２スイッチが作動されたかを判断する監視工程を備え、
前記監視工程により前記第２スイッチが作動されなかったと判断された場合には、前記第１工程を行い、
前記監視工程により前記第２スイッチが作動されたと判断された場合には、前記第２工程を行う請求項８記載の動作制御方法。
【発明の詳細な説明】
【技術分野】
【０００１】
本発明は、動作制御装置及びこれを用いる動作制御方法に関し、更に詳しくは、操作者が操作スイッチに対応する動作部及びその動作を容易に認識することができる動作制御装置及びこれを用いる動作制御方法に関する。
【背景技術】
【０００２】
近年、自動車等の車両では、その居住性能や走行性能を向上させるために、所定の動作を行う各種の動作部（例えば、室内灯、電動シート、電動ルーフ、電動ウィンドウ等）が搭載され、これに伴って各動作部を作動させるための多数の操作スイッチが搭載されている。また、各操作スイッチによる動作部の作動も多様であるため、操作者には、操作による作動具合が直ぐに予測できない場合もある。
そこで、操作者に対して各操作スイッチの役割やそれによる作動を理解しやすくさせるため、例えば、操作スイッチ上又はその近傍に動作部の動作をイメージさせるイラスト等を表記する他、タッチした操作スイッチに対応する動作部の動作説明をディスプレイに表示したり、タッチした操作スイッチに対応する動作部の動作説明をスピーカから音声アナウンスする等が行われている。
なお、従来のスイッチ構造体として、タッチスイッチの表面側にプッシュスイッチを配設してなるものが知られている（例えば、特許文献１及び２参照）。しかし、これら特許文献１及び２の技術は、タッチスイッチ及びプッシュスイッチのそれぞれが異なる動作部の動作を行わせるためのものであり、上述のような操作者が操作スイッチに対応する動作部及びその動作を認識し難いといった問題を解決することは目的とされていない。
【先行技術文献】
【特許文献】
【０００３】
【特許文献１】特開２００１−７６５８２号公報
【特許文献１】特開２００８−１４０７５５号公報
【発明の概要】
【発明が解決しようとする課題】
【０００４】
前記のとおり、車両等においては、各種装置・機器など動作部を作動させるために多数の操作スイッチが設けられており、かつ各操作スイッチによる動作部の作動態様も多様であるため、操作者は操作スイッチの位置を覚え、操作をするときにはスイッチ上の表示等を視認しなければならない場合が多い。表示方法が、メーカや車種によって異なっているという問題もある。また、操作スイッチ自体も、プッシュスイッチや回転式、レバー式等さまざまであり、各操作スイッチによる作動具合が操作者に直感的に理解できない場合も多い。
これらの問題に対して、従来提案されている操作スイッチに対応した動作部の動作説明をディスプレイに表示したり音声で案内したりする場合には、ディスプレイ装置やスピーカ等の別途の報知手段を必要とし、コスト高となってしまう。また、操作者に対して操作による動作を直感的に認識させるものではない。
なお、上述の問題は、自動車等の車両のみでなく各種の家電製品や電子機器等でも同様に生じる。
【０００５】
本発明は、前記現状に鑑みてなされたものであり、操作スイッチに対応する動作を案内するための特別な装置を用いることなく、操作者が操作スイッチに対応する動作部及びその動作を容易に認識することができる動作制御装置及びこれを用いる動作制御方法を提供することを目的とする。
【課題を解決するための手段】
【０００６】
本発明は、以下の通りである。
１．操作スイッチと、所定の動作を行う動作部と、前記操作スイッチからの信号により前記動作部を作動させる制御部とを備える動作制御装置であって、
前記操作スイッチは、手指の接触又は所定値以下の操作力によって作動する第１スイッチと、前記所定値を超える操作力によって作動する第２スイッチとを備え、
前記制御部は、前記第１スイッチからの信号により、前記動作部に対し前記所定の動作を操作者に感知させるための予備動作を行わせ、前記第２スイッチからの信号により、前記動作部に前記所定の動作を行わせることを特徴とする動作制御装置。
２．前記第１スイッチはタッチスイッチであり、前記第２スイッチは前記第１スイッチの表面又はその直下に設けられたプッシュスイッチ又はスライドスイッチである上記１．記載の動作制御装置。
３．前記動作部は所定の輝度で発光する光源を有する照明装置であり、
前記予備動作は、前記光源を前記所定の輝度より低い輝度で発光させ、又は前記光源を点滅させる上記１．又は２．に記載の動作制御装置。
４．前記動作部は、所定範囲で所定速度により移動する可動体を有する可動装置であり、
前記予備動作は、前記可動体を前記範囲よりも小さい範囲、及び前記速度よりも遅い速度のうちの少なくとも一つにより移動させる上記１．又は２．に記載の動作制御装置。
５．前記制御部は、前記第１スイッチが作動されてから所定時間内に前記第２スイッチが作動されたときには、前記予備動作を行わせることなく前記動作部の所定の動作を行わせる上記１．乃至４．のいずれかに記載の動作制御装置。
６．前記照明装置は、車両に設けられた室内灯である上記３．記載の動作制御装置。
７．前記可動装置は、車両に設けられた電動シート、電動ルーフ及び電動ウィンドウのうちのいずれかである上記４．記載の動作制御装置。
８．上記１．乃至７．のいずれかに記載の動作制御装置を用いる動作制御方法であって、
前記第１スイッチが作動されたとき前記動作部に前記予備動作をさせる第１工程と、
前記第２スイッチが作動されたとき前記動作部に前記所定の動作をさせる第２工程と、
を備えることを特徴とする動作制御方法。
９．さらに前記第１スイッチが作動されてから所定時間内に前記第２スイッチが作動されたかを判断する監視工程を備え、
前記監視工程により前記第２スイッチが作動されなかったと判断された場合には、前記第１工程を行い、
前記監視工程により前記第２スイッチが作動されたと判断された場合には、前記第２工程を行う上記８．記載の動作制御方法。
【発明の効果】
【０００７】
本発明の動作制御装置によると、第１スイッチが作動されたとき動作部が予備動作を行い、第２スイッチが作動されたとき動作部が所定の動作を行う。これにより、その操作スイッチによる作動がどのような態様である場合であっても、操作者は、操作スイッチに触れ又は軽く力を加えることにより第１スイッチを作動させて動作部の予備動作を確認することができ、操作スイッチに対応する動作部及びその動作を直感的に認識することができる。さらに、操作者は、そのまま操作力を加えて第２スイッチを作動させることによって、その動作部に通常の動作をさせることができる。また、動作部自体の予備的な作動によって案内を行うため、音声、画像等を用いた報知手段が不要となり低コスト化を図ることができる。
また、前記第１スイッチがタッチスイッチであり、前記第２スイッチが前記第１スイッチの表面又はその直下に設けられたプッシュスイッチ又はスライドスイッチである場合は、操作部の表面に触れたことを感知して予備動作を行い、そのまま強く操作されたときに所定動作をすることができる。また、操作スイッチの取付けスペース効率を高めることができる。
また、前記動作部が所定の輝度で発光する光源を有する照明装置であり、前記予備動作が、前記光源を前記所定の輝度より低い輝度で発光させ、又は前記光源を点滅させる場合は、操作者は、予備動作として光源の所定の輝度より低い輝度での発光又は点滅を確認することによって、操作スイッチに対応する照明装置及びその動作を容易に認識することができる。
また、前記動作部が、所定範囲で所定速度により移動する可動体を有する可動装置であり、前記予備動作が、前記範囲よりも小さい範囲、及び前記速度よりも遅い速度のうちの少なくとも一つにより動作する場合は、操作者は、予備動作として可動体の所定範囲よりも小さい範囲及び所定速度よりも遅い速度のうちの少なくとも一つの移動を確認することによって、操作スイッチに対応する可動装置及びその動作を容易に認識することができる。
また、前記制御部は、前記第１スイッチが作動されてから所定時間内に前記第２スイッチが作動されたときには、前記予備動作を行わせることなく前記動作部の所定の動作を行わせる場合は、操作者が操作スイッチに対応する動作部及びその動作を既に認識しているときに、動作部に不必要な予備動作をさせずに直ぐに所定の動作をさせることができる。
また、前記照明装置が、車両に設けられた室内灯である場合は、車両用の室内灯に適した動作制御装置を提供することができる。また、乗員は操作スイッチを視認する必要がないため安全である。
また、前記可動装置が、車両に設けられた電動シート、電動ルーフ及び電動ウィンドウのうちのいずれかである場合は、車両用の電動シート、電動ルーフ及び電動ウィンドウのいずれかに適した動作制御装置を提供することができる。
【０００８】
本発明の動作制御方法によると、第１スイッチが作動されたとき動作部が予備動作を行う第１工程を備えるため、その操作スイッチによる作動がどのような態様である場合であっても、操作者は、第１スイッチを作動させて動作部の予備動作を確認することができ、操作スイッチに対応する動作部及びその動作を直感的に認識することができる。さらに、第２スイッチが作動されたとき動作部が所定の動作を行う第２工程を備えるため、操作者は、そのまま第２スイッチを作動させることによって、その動作部に通常の動作をさせることができる。
また、さらに前記第１スイッチが作動されてから所定時間内に前記第２スイッチが作動されたかを判断する監視工程を備え、前記監視工程により前記第２スイッチが作動されなかったと判断された場合には前記第１工程を行い、前記監視工程により前記第２スイッチが作動されたと判断された場合には前記第２工程を行う場合は、操作者が操作スイッチに対応する動作部及びその動作を既に認識しているときに、動作部に不必要な予備動作をさせずに直ぐに所定の動作をさせることができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１及び２に係る車両室内側を示す斜視図である。
【図２】上記室内灯の要部拡大正面図である。
【図３】実施例１に係る操作スイッチの縦断面図である。
【図４】実施例１に係る動作制御装置の電気的構成を示すブロック図である。
【図５】上記動作制御装置による動作制御処理のフローチャート図である。
【図６】実施例２に係る電動シートを示す側面図である。
【図７】実施例２に係る動作制御装置の電気的構成を示すブロック図である。
【図８】上記動作制御装置による動作制御処理を示すフローチャート図である。
【発明を実施するための形態】
【００１０】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．動作制御装置
本実施形態１．に係る動作制御装置は、操作スイッチと、所定の動作を行う動作部と、操作スイッチからの信号により動作部を作動させる制御部とを備える動作制御装置であって、操作スイッチは、手指の接触又は所定値以下の操作力によって作動する第１スイッチと、所定値を超える操作力によって作動する第２スイッチとを備え、制御部は、第１スイッチからの信号により、動作部に対し所定の動作を操作者に感知させるための予備動作を行わせ、第２スイッチからの信号により、動作部に所定の動作を行わせることを特徴とする。
【００１２】
なお、上記「手指の接触」とは、第１スイッチに対する手指の直接的な接触の他に、第１スイッチに対する手指の近接による間接的な接触も含むものとする。また、上記「予備動作」は、動作部に対し所定の動作を操作者に感知させ又は予測させるための、所定の動作を限定した動作とすることができる。また、上記「所定の動作」とは、動作部が通常時に行う動作を意図する。
【００１３】
上記「操作スイッチ」としては、例えば、（１）第１スイッチがタッチスイッチであり、第２スイッチが第１スイッチの表面又はその直下に設けられたプッシュスイッチ又はスライドスイッチである形態（例えば、図３等参照）、（２）第１スイッチがタッチスイッチであり、第２スイッチが第１スイッチの側方に隣接して設けられたプッシュスイッチ又はスライドスイッチである形態、（３）第１及び第２スイッチが２段式のプッシュスイッチ又はスライドスイッチである形態、（４）第１及び第２スイッチが、操作力が所定値を超えるか否かを判別可能な一つのスイッチにより構成されている形態等を挙げることができる。
【００１４】
上記形態（１）〜（４）において、上記第２スイッチは、通常、所定値以下の操作力によって作動されない。また、上記第２スイッチは、例えば、所定値を超える操作力によってその一部の弾性体が変形又は変位されて作動されるものであって、その構成や構造は限定されず、一般的なメカニカルスイッチ、メンブレンスイッチ（図３参照）、歪みセンサを用いたスイッチ等が挙げあれる。なお、上記「所定値」としては、例えば、０．２〜１．０ｋｇｆ（好ましくは０．３〜０．５ｋｇｆ）とすることができる。
上記形態（１）において、上記タッチスイッチは、例えば、検出用電極と、この検出用電極と接地との間の静電容量の変化を検出する静電容量検出部と、を備える静電容量式のタッチスイッチとすることができる（例えば、図３等参照）。この静電容量式のタッチスイッチの作動契機としては、例えば、検出用電極の表面（一方の面）を覆う絶縁物を介して検出用電極に手指が接触する形態の他に、検出用電極の表面に直接的に手指が接触する形態等を挙げることができる。
第１スイッチとしての上記タッチスイッチは、上記形態（２）のように、第２スイッチとしてのプッシュスイッチ又はスライドスイッチに隣接して配設されてもよい。
上記形態（３）では、例えば、上記２段式のプッシュスイッチ又はスライドスイッチを所定値以下の操作力で押圧操作又はスライド操作してその一部を変形又は変位させると第１スイッチが作動し、所定値を超える操作力で押圧操作又はスライド操作してその一部を変形又は変位させると第２スイッチが作動するようにすることができる。
上記形態（４）では、例えば、操作力に応じた歪みを検出する歪みセンサを用いたスイッチを挙げることができ、操作力が加わり且つ所定値よりも小さいときは第１スイッチとして作動し、操作力が所定値以上のときは第２スイッチとして作動するようにすることができる。
【００１５】
上記「動作部」としては、例えば、（１）所定の輝度で発光する光源を有する照明装置、（２）所定範囲で所定速度により移動する可動体を有する可動装置、（３）所定の熱量で発熱する発熱装置、（４）所定の音量で音を発生する音発生装置、（５）所定の送量で空気を送出する送風装置等を挙げることができる。
【００１６】
上記形態（１）において、照明装置の予備動作としては、例えば、（ａ）光源を所定の輝度より低い輝度で発光させる形態、（ｂ）光源を点滅させる形態、（ｃ）光源を所定時間の間で発光又は点滅させる形態、（ｄ）光源の輝度を変化させつつ発光させる形態等のうちの１種又は２種以上の組み合わせを挙げることができる。また、上記照明装置としては、例えば、車両に設けられた室内灯（例えば、図２等参照）、ヘッドランプ等の他、表示器のバックライト等を挙げることができる。また、上記光源としては、例えば、白熱電球等のバルブ、発光ダイオード、蛍光灯、エレクトロルミネセンスライト等を挙げることができる。
【００１７】
上記形態（２）において、可動装置の予備動作としては、例えば、（ａ）可動体を所定範囲よりも小さい範囲、及び所定速度よりも遅い速度のうちの少なくとも一つにより移動させる形態、（ｂ）可動体を所定時間の間で移動させる形態、（ｃ）可動体の速度を変化させつつ移動させる形態等のうちの１種又は２種以上の組み合わせを挙げることができる。また、上記可動装置としては、例えば、車両に設けられる電動シート（例えば、図６等参照）、電動ルーフ、電動ウィンドウ、ワイパー等を挙げることができる。また、上記電動シートの可動体としては、例えば、座席部、背もたれ部、ヘッドレスト部等を挙げることができる。なお、上記形態（２）において、上記「移動」としては、例えば、直線移動、曲線移動、回転移動等のうちの１種又は２種以上の組み合わせを挙げることができる。
【００１８】
上記形態（３）において、発熱装置の予備動作としては、例えば、（ａ）発熱装置を所定の熱量より大きな又は小さな熱量で発熱させる形態、（ｂ）発熱装置を所定時間の間で発熱させる形態、（ｃ）発熱装置を熱量を変化させつつ発熱させる形態等のうちの１種又は２種以上の組み合わせを挙げることができる。また、上記発熱装置としては、例えば、車両に設けられるシートヒータ、ウィンドウヒータ等を挙げることができる。
【００１９】
上記形態（４）において、音発生装置の予備動作としては、例えば、（ａ）音発生装置を所定の音量より大きな又は小さな音量で音を発生させる形態、（ｂ）音発生装置を所定時間の間で音を発生させる形態、（ｃ）音発生装置を音量を変化させつつ音を発生させる形態等のうちの１種又は２種以上の組み合わせを挙げることができる。また、上記音発生装置としては、例えば、車両に設けられるオーディオ装置、カーナビゲーション装置等を挙げることができる。
【００２０】
上記形態（５）において、上記送風装置の予備動作としては、例えば、（ａ）送風装置を所定の送量より大きな又は小さな送量で空気を送出させる形態、（ｂ）送風装置を所定時間の間で空気を送出させる形態、（ｃ）送風装置を送量を変化させつつ空気を送出させる形態等のうちの１種又は２種以上の組み合わせを挙げることができる。また、上記送風装置としては、例えば、車両に設けられるエアコンディショナ、室内ヒータ等を挙げることができる。
【００２１】
上記「制御部」の制御処理は、ハードウェア、ソフトウェアのいずれによって実現されてもよく、好適には、ＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。デジタル信号プロセッサ、プログラム可能な論理回路、ゲートアレーその他の論理回路が用いられて構成されてもよい。
【００２２】
ここで、本実施形態１．に係る動作制御装置としては、例えば、上記制御部は、第１スイッチが作動されてから所定時間内に第２スイッチが作動されたときには、動作部に予備動作を行わせることなく動作部の所定の動作を行わせる形態を挙げることができる。上記所定時間としては、例えば、０．０１〜０．５秒等を挙げることができる。
【００２３】
２．動作制御方法
本実施形態２．に係る動作制御方法は、上述の実施形態１．の動作制御装置を用いる動作制御方法であって、第１スイッチが作動されたとき動作部に予備動作をさせる第１工程と、第２スイッチが作動されたとき動作部に所定の動作をさせる第２工程と、を備えることを特徴とする。
【００２４】
本実施形態２．の動作制御方法としては、例えば、さらに第１スイッチが作動されてから所定時間内に第２スイッチが作動されたかを判断する監視工程を備え、監視工程により第２スイッチが作動されなかったと判断された場合には第１工程を行い、監視工程により第２スイッチが作動されたと判断された場合には第２工程を行う形態を挙げることができる。
【実施例】
【００２５】
以下、図面を用いて実施例１及び２により本発明を具体的に説明する。
【００２６】
〔実施例１〕
先ず、実施例１に係る動作制御装置について説明する。なお、本実施例１では、本発明に係る「動作制御装置」として、車両用の室内灯の点灯処理を含む動作制御処理を行う動作制御装置を例示する。
【００２７】
（１）動作制御装置の構成
本実施例に係る動作制御装置１は、図１、図２及び図４に示すように、複数（図２中で５つ）の操作スイッチ３ａ〜３ｄと、室内灯４（本発明に係る「動作部」及び「照明装置」として例示する。）と、操作スイッチ３ａ〜３ｄからの信号により室内灯４の点灯処理等を行う制御部５（図４参照）と、を備えている。
【００２８】
上記複数の操作スイッチ３ａ〜３ｄのそれぞれは、図３に示すように、操作者の手指の接触（接近）によって作動するタッチスイッチ７（本発明に係る「第１スイッチ」として例示する。）と、操作者の手指の接触による所定値（例えば、０．３ｋｇｆ）を超える操作力によって作動するプッシュスイッチ８（本発明に係る「第２スイッチ」として例示する。）と、を備えている。
【００２９】
上記タッチスイッチ７は、静電容量式のスイッチであり、シート状の検出用電極７ａと、この検出用電極７ａと接地との間の静電容量の変化を検出する静電容量検出部（図示省略）と、を有している。このタッチスイッチ７の作動契機は、検出用電極７ａの表面を覆う絶縁物としての後述する操作キーを介して検出用電極７ａに手指が接触することである。すなわち、検出用電極７ａの表面に操作者の手指が接触している間、タッチスイッチ７は作動（オン）状態となる。
【００３０】
上記プッシュスイッチ８は、筐体９に形成された開口部９ａに押圧操作可能に設けられた操作キー１０を有している。この操作キー１０の裏面には、上記検出用電極７ａを挟んで弾性体シート１１が取り付けられている。この筐体９には、弾性体シート１１の長手方向の両端側が取り付けられている。また、この筐体９には、弾性体シート１１と離間して対向するように基板１２が取り付けられている。この基板１２上には、導電性を有するドーム状の弾性体である押圧変形部１３が配設されている。この押圧変形部１３により、弾性体シート１１は筐体９の表面側に付勢されている。また、基板１２には導通接点部１４及び導通接点部１５が設けられており、導通接点部１４は押圧変形部１３と常時接触している。操作キー１０が所定値を超える力で押圧されない状態においては、ドーム状の押圧変形部１３は導通接点部１５と接触していないため、導通接点部１４と導通接点部１５とは電気的に切断されており、プッシュスイッチ８は非作動（オフ）状態である。各操作キー１０を所定値を超えて押圧操作すると、弾性体シート１１を介して押圧変形部１３が押圧されて変形し、ドーム状の押圧変形部１３の中心部が導通接点部１５に接触される。そうすると導通接点部１４と導通接点部１５とが押圧変形部１３によって接続され、プッシュスイッチ８が作動（オン）状態となる。
【００３１】
上記室内灯４は、車両の天井面においてフロントガラス寄りで且つ車幅方向の略中央部に配置されている（図１参照）。この室内灯４は、所定の輝度で点灯する複数（図２中で２つ）のバルブ４ａ，４ｂ（本発明に係る「光源」として例示する。）を有している。これらバルブ４ａ，４ｂは、プッシュスイッチ８の押圧操作によって所定の輝度で発光し（本発明に係る「動作部の所定の動作」として例示する。）、またタッチスイッチ７の接触操作によって所定の輝度より低い輝度で発光する（本発明に係る「動作部の予備動作」として例示する。）。
【００３２】
なお、上記室内灯４の動作例として、操作スイッチ３ａを一度押圧操作するとバルブ４ａのみが発光し、操作スイッチ３ａをもう一度押圧操作するとバルブ４ａが消灯する。また、操作スイッチ３ｄを一度押圧操作するとバルブ４ｂのみが発光し、操作スイッチ３ｄをもう一度押圧操作するとバルブ４ｂが消灯する。また、操作スイッチ３ｃを押圧操作すると複数のバルブ４ａ，４ｂが発光し、消灯用スイッチ６を押圧操作すると複数のバルブ４ａ，４ｂが消灯する。さらに、操作スイッチ３ｂを一度押圧操作すると複数のバルブ４ａ，４ｂがドアの開閉に連動して点灯及び消灯可能なドア連動状態となり、操作スイッチ３ｂをもう一度押圧操作するとドア連動状態が解除されるようにすることができる。
【００３３】
上記制御部５は、図示しないＣＰＵ、ＲＯＭ及びＲＡＭを有しており、ＲＯＭに保存された制御プログラムに従ってＣＰＵが各種処理動作を実行し、またＲＡＭはデータの一時保存等に使用される。この制御部５には、図４に示すように、上記複数の操作スイッチ３ａ〜３ｄを構成するタッチスイッチ７及びプッシュスイッチ８が電気的に接続されている。また、制御部５には、上記室内灯４を構成する複数のバルブ４ａ，４ｂが電気的に接続されている。また、タッチスイッチ７は、手指が接触されたときにオン信号を制御部５に出力し、プッシュスイッチ８は、手指で押されたときにオン信号を制御部５に出力するように構成することができる。そして、制御部５は、タッチスイッチ７及びプッシュスイッチ８から信号が入力されると、その入力信号に基づいてバルブ４ａ，４ｂの点灯処理等を行う。
【００３４】
次に、制御部５による室内灯４の点灯処理等を含む動作制御処理について説明する。制御部５は、図５に示すように、タッチスイッチ７がオン操作されると（ステップＳ１でＹＥＳ判定）、内部タイマで計時を開始する（ステップＳ２）。次に、タッチスイッチ７のオン操作が継続されているときは（ステップＳ３でＹＥＳ判定）、タイマによる計時が所定時間（例えば、０．５秒）を経過したか否かを判定する（ステップＳ４）。その結果、所定時間を経過していない場合（ステップＳ４のＮＯ判定）、プッシュスイッチ８がオン操作されたか否かを判定する（ステップＳ５）。その結果、プッシュスイッチ８がオン操作されていない場合（ステップＳ５でＮＯ判定）、ステップＳ２に戻ってタイマで計時を続ける。次いで、タッチスイッチ７のオン操作が継続されていることを判定して（ステップＳ３でＹＥＳ判定）、タイマによる計時が所定時間を経過したと判定した場合（ステップＳ４でＹＥＳ判定）、タッチスイッチ７のオン操作が継続されているときは（ステップＳ６）、所定時間、バルブ４ａ、４ｂを所定の輝度より低い輝度で発光させて弱点灯させる（ステップＳ７）。
【００３５】
その後、プッシュスイッチ８がオン操作されたか否かを判定する（ステップＳ８）。その結果、プッシュスイッチ８がオン操作された場合（ステップＳ８でＹＥＳ判定）、バルブ４ａ，４ｂを所定の輝度で発光させて通常点灯させる（ステップＳ９）。一方、プッシュスイッチ８がオン操作されていない場合（ステップＳ８でＮＯ判定）、バルブ４ａ，４ｂを通常点灯させずにステップＳ１に戻る。
【００３６】
また、タイマによる計時が所定時間を経過していない状態で（ステップＳ４でＮＯ判定）、プッシュスイッチ８がオン操作された場合（ステップＳ５でＹＥＳ判定）、プッシュスイッチ８が継続してオン操作されていることを再判定して（ステップＳ８でＹＥＳ判定）、バルブ４ａ，４ｂを通常点灯させる（ステップＳ９）。なお、ステップＳ１、Ｓ３及びＳ６においてタッチスイッチ７がオン操作されていないと判定された場合、ステップＳ１に戻る。
【００３７】
なお、本実施例では、室内灯４のバルブ４ａ，４ｂの何れかが点灯している状態においては、バルブ４ａ，４ｂを消灯させるために操作者が操作スイッチ３ａ〜３ｅを操作しても室内灯４の弱点灯（予備動作）を行わせないように設定されているものとする。
【００３８】
ここで、本実施例に係るステップＳ２、Ｓ３、Ｓ４及びＳ５によって本発明に係る「監視工程」が構成されている。また、本実施例に係るステップＳ６及びＳ７によって本発明に係る「第１工程」が構成されている。さらに、本実施例に係るステップＳ８及びＳ９によって本発明に係る「第２工程」が構成されている。
【００３９】
（２）動作制御装置の作用
次に、上記構成の動作制御装置１の作用について説明する。
操作者が操作スイッチ３ａ〜３ｄに対応する室内灯４のバルブ４ａ，４ｂ及びその動作を把握していない場合、操作者は、複数の操作スイッチ３ａ〜３ｄのうちの任意の操作スイッチに手指を近づけて軽く接触する。例えば、操作スイッチ３ａに軽く接触する場合、操作スイッチ３ａのタッチスイッチ７のオン操作が検出されて制御部５により操作スイッチ３ａに対応するバルブ４ａが弱点灯され、操作者は、その弱点灯されたバルブ４ａを確認する。その結果、操作者が所望するバルブ４ａが弱点灯された場合には、操作者はその操作スイッチ３ａをそのまま押圧する。すると、操作スイッチ３ａのプッシュスイッチ８のオン操作が検出されて制御部５によりその操作スイッチ３ａに対応するバルブ４ａが通常点灯される。一方、弱点灯されたバルブ４ａが操作者の所望のバルブでない場合には、例えば、操作者は他の操作スイッチ３ｄに軽く接触してバルブ４ｂを弱点灯させて確認する。そして、所望のバルブとなるまで上述の作用を繰り返す。
【００４０】
また、操作者が操作スイッチ３ａ〜３ｄに対応する室内灯４のバルブ４ａ，４ｂ及びその動作を既に把握している場合、操作者は複数の操作スイッチ３ａ〜３ｅのうちから所望の操作スイッチを選択して押圧操作する。例えば、操作スイッチ３ａを押圧操作する場合、操作スイッチ３ａのタッチセンサ７がオン操作され、そのオン操作から所定時間（例えば、０．５秒）内にプッシュスイッチ８がオン操作される。その結果、制御部５によりその操作スイッチ３に対応するバルブ４ａは弱点灯されずに通常点灯される。
【００４１】
以上より、本実施例の動作制御装置１によると、タッチスイッチ７が作動されたとき予備動作として室内灯４を所定の輝度より低い輝度で発光させ、プッシュスイッチ８が作動されたとき室内灯４を所定動作（本動作）として所定の輝度で発光させるようにしたので、操作者は、予備動作として室内灯４の所定輝度より低い輝度での発光を確認することができ、操作スイッチ３ａ〜３ｄに対応する室内灯４及びその動作を直感的に認識することができる。さらに、操作者は、そのままプッシュスイッチ８を作動させることによって、室内灯４に通常の動作をさせることができる。また、室内灯４自体の予備的な作動によって案内を行うため、音声、画像等を用いた報知手段が不要となり低コスト化を図ることができる。
【００４２】
また、本実施例では、タッチスイッチ７の直下にプッシュスイッチ８を設けて操作スイッチ３ａ〜３ｄを構成したので、操作部の表面に触れたことを感知して予備動作を行い、そのまま強く操作されたときに所定動作をすることができる。また、操作スイッチ３ａ〜３ｄの取付けスペース効率を高めることができる。
【００４３】
さらに、本実施例では、制御部５によって、タッチスイッチ７が作動されてから所定時間内にプッシュスイッチ８が作動されたときには、室内灯４に予備動作を行わせることなく所定動作を行わせるようにしたので、操作者が操作スイッチ３ａ〜３ｄに対応する室内灯４のバルブ４ａ，４ｂ及びその動作を既に認識しているときに、室内灯４に不必要な予備動作をさせずに直ぐに所定動作をさせることができる。
【００４４】
〔実施例２〕
次に、実施例２に係る動作制御装置について説明する。なお、本実施例２では、本発明に係る「動作制御装置」として、車両用の電動シートの移動処理を含む動作制御処理を行う動作制御装置を例示する。
【００４５】
（１）動作制御装置の構成
本実施例に係る動作制御装置２１は、図６及び図７に示すように、複数（図中で２つ）の操作スイッチ２３ａ〜２３ｄと、電動シート２４（本発明に係る「動作部」及び「可動装置」として例示する。）と、操作スイッチ２３ａ〜２３ｄからの信号により電動シート２４の駆動処理等を行う制御部２５と、を備えている。
【００４６】
上記複数の操作スイッチ２３ａ〜２３ｄのそれぞれは、操作者の手指の接触（接近）によって作動するタッチスイッチ２７（本発明に係る「第１スイッチ」として例示する。）と、操作者の手指の接触による所定値（例えば、０．３ｋｇｆ）を超える操作力によって作動するプッシュスイッチ２８（本発明に係る「第２スイッチ」として例示する。）と、を備えている。
【００４７】
上記プッシュスイッチ２８は、公知の機械式スイッチであり、筐体に対して押圧操作可能に設けられた操作キー３０と、所定値（例えば、０．３ｋｇｆ）を超える操作力により操作キー３０を押圧操作したときに導通して制御部１５に接続可能な導通接点部（図示省略）と、を有している。この操作キー３０の裏面側には上記タッチセンサ２７を構成する検出用電極（図示省略）が配設されている。なお、上記タッチスイッチ２７及びプッシュスイッチ２８は、上記実施例１に係るタッチスイッチ７及びプッシュスイッチ８と略同じ構成であってもよいし、プッシュスイッチの代わりにスライドスイッチ等が用いられてもよい。
【００４８】
上記電動シート２４は、車両の車室内の運転席側及び助手席側に配置されている（図１参照）。これら各電動シート２４は、座席部２４ａ（本発明に係る「可動体」として例示する。）と、この座席部２４ａの後端側に連なる背もたれ部２４ｂ（本発明に係る「可動体」として例示する。）と、背もたれ部２４ｂの上端側に連なるヘッドレスト部２４ｃと、を有している。
【００４９】
上記座席部２４ａは、車両の床面に対して車両の前後方向に沿ってスライド自在に支持されており、後述する駆動モータの駆動によりスライド移動される。この座席部２４ａは、操作スイッチ２３ａのプッシュスイッチ２８の押圧操作によって、車両の前方（例えば、図６中で右方向）に向かって所定の速度（例えば、０．０２ｍ／ｓ）によりスライド移動する（本発明に係る「動作部の所定の動作」として例示する。）。また、座席部２４ａは、操作スイッチ２３ａのタッチスイッチ２７の接触操作によって、車両の前方に向かって上記所定の速度より遅い速度でスライド移動する（本発明に係る「動作部の予備動作」として例示する。）。また、座席部２４ａは、操作スイッチ２３ｂのプッシュスイッチ２８の押圧操作によって、車両の後方（例えば、図６中で左方向）に向かって所定の速度（例えば、０．０２ｍ／ｓ）によりスライド移動する（本発明に係る「動作部の所定の動作」として例示する。）。さらに、座席部２４ａは、操作スイッチ２３ｂのタッチスイッチ２７の接触操作によって、車両の後向に向かって上記所定の速度より遅い速度でスライド移動する（本発明に係る「動作部の予備動作」として例示する。）。
【００５０】
上記背もたれ部２４ｂは、座席部２４ａに対して水平軸周りに傾動自在に支持されており、後述する駆動モータの正逆駆動により傾動される。この背もたれ部２４ｂは、操作スイッチ２３ｃのプッシュスイッチ２８の押圧操作によって、車両の前方（例えば、図６中で右方向）に向かって所定の速度により傾動する（本発明に係る「動作部の所定の動作」として例示する。）。また、背もたれ部２４ｂは、操作スイッチ２３ｃのタッチスイッチ２７の接触操作によって、車両の前方に向かって上記所定の速度より遅い速度で傾動する（本発明に係る「動作部の予備動作」として例示する。）。また、背もたれ部２４ｂは、操作スイッチ２３ｄのプッシュスイッチ２８の押圧操作によって、車両の後方（例えば、図６中で左方向）に向かって所定の速度により傾動する（本発明に係る「動作部の所定の動作」として例示する。）。さらに、背もたれ部２４ｂは、操作スイッチ２３ｃのタッチスイッチ２７の接触操作によって、車両の後方に向かって上記所定の速度より遅い速度で傾動する（本発明に係る「動作部の予備動作」として例示する。）。
【００５１】
なお、上記操作スイッチ２３ａ，２３ｂでは、操作キー３０を押圧操作してその押圧状態を維持すると座席部２４ａがスライド移動し続け、操作キー３０の押圧操作を止めると座席部２４ａがスライド移動を停止する。また、上記操作スイッチ２３ｃ，２３ｄでは、操作キー３０を押圧操作してその押圧状態を維持すると背もたれ部２４ｂが傾動し続け、操作キー３０の押圧操作を止めると背もたれ部２４ｂが傾動を停止する。
【００５２】
上記制御部２５は、図示しないＣＰＵ、ＲＯＭ及びＲＡＭを有しており、ＲＯＭに保存された制御プログラムに従ってＣＰＵが各種処理動作を実行し、またＲＡＭはデータの一時保存等に使用される。この制御部２５には、図７に示すように、上記複数の操作スイッチ２３ａ〜２３ｄを構成するタッチスイッチ２７及びプッシュスイッチ２８が電気的に接続されている。また、この制御部２５には、上記座席部２４ａをスライド移動させる駆動モータ３２ａ及び上記背もたれ部２４ｂを傾動させる駆動モータ３２ｂが電気的に接続されている。また、タッチスイッチ２７は、手指が接触されたときにオン信号を制御部２５に出力し、プッシュスイッチ２８は、手指で押されたときにオン信号を制御部２５に出力するように構成されている。そして、制御部２５は、タッチスイッチ２７及びプッシュスイッチ２８ａから信号が入力されると、その入力信号に基づいて駆動モータ３２ａ，３２ｂの駆動処理等を行う。
【００５３】
次に、制御部２５による駆動モータ３２ａ，３２ｂの駆動処理等を含む動作制御処理について説明する。制御部２５は、図８に示すように、タッチスイッチ２７がオン操作されると（ステップＳ１１でＹＥＳ判定）、内部タイマで計時を開始する（ステップＳ１２）。次に、タッチスイッチ２７のオン操作が継続されているときは（ステップＳ１３でＹＥＳ判定）、タイマによる計時が所定時間（例えば、０．５秒）を経過したか否かを判定する（ステップＳ１４）。その結果、所定時間を経過していない場合（ステップＳ１４のＮＯ判定）、プッシュスイッチ２８がオン操作されたか否かを判定する（ステップＳ１５）。その結果、プッシュスイッチ２８がオン操作されていない場合（ステップＳ１５でＮＯ判定）、ステップＳ１２に戻ってタイマで計時を続ける。次いで、タッチスイッチ２７のオン操作が継続されていることを判定して（ステップＳ１３でＹＥＳ判定）、タイマによる計時が所定時間を経過したと判定した場合（ステップＳ１４でＹＥＳ判定）、タッチスイッチ２７のオン操作が継続されているときは（ステップＳ１６）、所定時間、駆動モータ３２ａ，３２ｂを弱駆動させる（ステップＳ１７）。
【００５４】
その後、プッシュスイッチ２８がオン操作されたか否かを判定する（ステップＳ１８）。その結果、プッシュスイッチ２８がオン操作された場合（ステップＳ１８でＹＥＳ判定）、駆動モータ３２ａ，３２ｂを通常駆動させる（ステップＳ１９）。次に、プッシュスイッチ２８がオフ操作されたか否かを判定し（ステップＳ２０）、その結果、プッシュスイッチ２８がオフ操作された場合（ステップＳ２０でＹＥＳ判定）にはステップ１１に戻り、プッシュスイッチ２８がオフ操作されていない場合にはステップＳ１８に戻る。一方、プッシュスイッチ２８がオン操作されていない場合（ステップＳ１８でＮＯ判定）、駆動モータ３２ａ，３２ｂを通常駆動させずにステップＳ１１に戻る。
【００５５】
また、タイマによる計時が所定時間を経過していない状態で（ステップＳ１４でＮＯ判定）、プッシュスイッチ２８がオン操作された場合（ステップＳ１５でＹＥＳ判定）、プッシュスイッチ２８が継続してオン操作されていることを再判定して（ステップＳ１８でＹＥＳ判定）、駆動モータ３２ａ，３２ｂを通常駆動させる（ステップＳ９）。なお、ステップＳ１１、Ｓ１３及びＳ１６においてタッチスイッチ２７がオン操作されていないと判定された場合、ステップＳ１１に戻る。
【００５６】
ここで、本実施例に係るステップＳ１２、Ｓ１３、Ｓ１４及びＳ１５によって本発明に係る「監視工程」が構成されている。また、本実施例に係るステップＳ１６及びＳ１７によって本発明に係る「第１工程」が構成されている。さらに、本実施例に係るステップＳ１８、Ｓ１９及びＳ２０によって本発明に係る「第２工程」が構成されている。
【００５７】
（２）動作制御装置の作用
次に、上記構成の動作制御装置２１の作用について説明する。
操作者が操作スイッチ２３ａ〜２３ｄに対応する電動シート２４の可動体（座席部２４ａ及び背もたれ部２４ｂ）及びその動作を把握していない場合、操作者は、複数の操作スイッチ２３ａ〜２３ｄのうちの任意の操作スイッチに手指を近づけて軽く接触する。例えば、操作スイッチ２３ａに軽く接触する場合、操作スイッチ２３ａのタッチスイッチ２７のオン操作が検出されて制御部２５によりその操作スイッチ２３ａに対応する駆動モータ３２ａが正方向に弱駆動されて座席部２４ａが車両前方に向かって通常の速度より遅い速度で所定時間スライド移動する。そして、操作者は、その車両前方に向かってスライド移動する座席部２４ａを確認する。その結果、操作者が所望する座席部２４ａがスライド移動された場合には、操作者はその操作スイッチ２３ａをそのまま押圧操作する。すると、操作スイッチ２３ａのプッシュスイッチ２８のオン操作が検出されて制御部２５によりその操作スイッチ２３に対応する駆動モータ３２ａが正方向に通常駆動されて座席部２４ａが車両前方に向かって通常の速度でスライド移動する。一方、通常の速度より遅い速度でスライド移動された座席部２３ａ又はそのスライド方向が操作者の所望するものでない場合には、操作者は他の操作スイッチ２３ｂ〜２３ｄに軽く接触する。例えば、操作スイッチ２３ｂに軽く接触すると、駆動モータ３２ｂが逆方向に弱駆動されて座席部２４ａが車両後向に向かって通常の速度より遅い速度でスライド移動されて操作者はそれを確認する。そして、所望の可動体及びその動作となるまで上述の作用を繰り返すことができる。
【００５８】
また、操作者が操作スイッチ２３ａ〜２３ｄに対応する電動シート２４の可動体及びその動作を既に把握している場合、操作者は複数の操作スイッチ２３ａ〜２３ｄのうちから所望の操作スイッチ２３を選択して押圧操作する。例えば、操作スイッチ２３ａを押圧操作する場合、操作スイッチ２３ａのタッチセンサ２７がオン操作され、そのオン操作から所定時間（例えば、０．５秒）内にプッシュスイッチ２８がオン操作される。その結果、制御部２５によりその操作スイッチ２３ａに対応する駆動モータ３２ａは弱駆動されずに通常駆動されて座席部２４ａが車両前方に向かって通常の速度でスライド移動する。
【００５９】
以上より、本実施例の動作制御装置２１によると、タッチスイッチ２７が作動されたとき予備動作として電動シート２４の可動体を通常の速度より遅い速度で移動させ、プッシュスイッチ２８が作動されたとき所定動作（本動作）として電動シート２４の可動体を通常の速度で移動させるようにしたので、操作者は、予備動作として電動シート２４の可動体の通常より遅い速度での移動を確認することができ、操作スイッチ２３ａ〜２３ｄに対応する電動シート２４の可動体及びその動作を直感的に認識することができる。さらに、操作者は、そのままプッシュスイッチ２８を作動させることによって、電動シート２４の可動体に通常の動作をさせることができる。また、電動シート２４自体の予備的な作動によって案内を行うため、音声、画像等を用いた報知手段が不要となり低コスト化を図ることができる。プッシュスイッチ２８の代わりにスライドスイッチ等を使用する場合も同様である。
【００６０】
また、本実施例では、タッチスイッチ２７の直下にプッシュスイッチ２８を設けて操作スイッチ２３ａ〜２３ｄを構成したので、操作部の表面に触れたことを感知して予備動作を行い、そのまま強く操作されたときに所定動作をすることができる。また、操作スイッチ２３ａ〜２３ｄの取付けスペース効率を高めることができる。
【００６１】
さらに、本実施例では、制御部２５によって、タッチスイッチ２７が作動されてから所定時間内にプッシュスイッチ２８が作動されたときには、電動シート２４の可動体に予備動作を行わせることなく所定動作を行わせるようにしたので、操作者が操作スイッチ２３ａ〜２３ｄに対応する電動シート２４の可動体及びその動作を既に認識しているときに、電動シート２４の可動体に不必要な予備動作をさせずに直ぐに所定動作をさせることができる。
【００６２】
尚、本発明においては、上記実施例に限られず、目的、用途に応じて本発明の範囲内で種々変更した実施例とすることができる。即ち、上記実施例１及び２では、タッチスイッチ７，２７が作動されてから所定時間内にプッシュスイッチ８，２８が作動されたかを判定する監視工程を備える形態を例示したが、これに限定されず、例えば、監視工程を備えない形態としてもよい。
【００６３】
また、上記実施例１及び２では、１つのタッチスイッチ７，２７に対応して１つのプッシュスイッチ８，２８を設けて操作スイッチ３ａ〜３ｄ，２３ａ〜２３ｄを構成するようにしたが、これに限定されず、例えば、１つのタッチスイッチに対応して複数のプッシュスイッチを設けて操作スイッチを構成するようにしてもよい。
【００６４】
また、上記実施例１及び２では、第２スイッチとしてプッシュスイッチを採用する形態を例示したが、これに限定されず、例えば、第２スイッチとしてスライドスイッチを採用するようにしてもよい。また、上記実施例１では、第２スイッチとしてメンブレン式のプッシュスイッチを採用する形態を例示したが、これに限定されない。
【００６５】
また、上記実施例１において、操作スイッチ３ａ〜３ｄのうちの任意の操作スイッチのタッチスイッチ７が作動されたときに、室内灯４のバルブ４ａ，４ｂに予備動作を行わせるとともに、その操作スイッチに対応する室内灯４のバルブ４ａ，４ｂの動作説明をディスプレイに表示したり、スピーカから音声アナウンスしたりしてもよい。また、上記実施例２において、操作スイッチ２３ａ〜２３ｄのうちの任意の操作スイッチのタッチスイッチ２７が作動されたときに、電動シート４の可動体に予備動作を行わせるとともに、その操作スイッチに対応する電動シート４の可動体の動作説明をディスプレイに表示したり、スピーカから音声アナウンスしたりしてもよい。
【００６６】
また、上記実施例１では、予備動作として室内灯４のバルブ４ａ，４ｂを弱点灯させる形態を例示したが、これに限定されず、例えば、バルブ４ａ，４ｂを点滅させたり、バルブ４ａ，４ｂを短時間のみ点灯させたりしてもよい。
【００６７】
また、上記実施例２では、予備動作として電動シート４の可動体を通常の速度より遅い速度で移動させる形態を例示したが、これに限定されず、例えば、可動体を通常の範囲より狭い範囲で移動させたり、可動体を短時間のみ移動させたりしてもよい。
【００６８】
さらに、上記実施例１において、制御部５による動作制御処理のステップＳ３、Ｓ６及びＳ８（図５参照）を省略するようにしてもよい。また、上記実施例２において、制御部２５による動作制御処理のステップＳ１３、Ｓ１６及びＳ１８（図８参照）を省略するようにしてもよい。
【００６９】
本発明は前記で詳述した実施形態に限定されず、本発明の請求項に示した範囲で様々な変形または変更が可能である。
【産業上の利用可能性】
【００７０】
多数備えられた操作スイッチのうち、操作者が所望の操作スイッチを好適に選択する技術として広く利用される。
【符号の説明】
【００７１】
１，２１；動作制御装置、３ａ〜３ｄ，２３ａ〜２３ｄ；操作スイッチ、４；室内灯、４ａ，４ｂ；バルブ、２４；電動シート、２４ａ；座席部、２４ｂ；背もたれ部、５，２５；制御部、７，２７；タッチスイッチ、８，２８；プッシュスイッチ。
【図１】
2011100617.tif 000003
【図２】
2011100617.tif 000004
【図３】
2011100617.tif 000005
【図４】
2011100617.tif 000006
【図５】
2011100617.tif 000007
【図６】
2011100617.tif 000008
【図７】
2011100617.tif 000009
【図８】
2011100617.tif 000010